(57)【要約】【課題】送出開始信号等の制御信号の障害により、送出停止中のビデオサーバ等の映像・音声送出機器の番組素材の送出を途中から再開することを可能とする。【解決手段】映像・音声送出機器及び制御機器を２系統有する番組送出システムにおいて、監視装置から、送出停止している系の制御機器に対し番組送出再開制御信号を送信し、送出停止している系の制御機器にて監視装置からの番組送出再開制御信号を受信後、送出停止している系の制御機器は、監視装置から他の系(正常に送出を開始した系)の送出開始時刻Ｔ１を取得すると共に、時計装置からその時の時刻データＴ２取得し、番組の出力映像・音声信号の送出再開時刻Ｔｘを、Ｔ２−Ｔ１より計算し、送出停止している系の制御機器は、対応する映像・音声送出機器を制御し、送出開始時刻Ｔｘから、送出停止している系の番組の映像・音声信号の出力を開始するよう制御する番組送出再開制御方法である。【選択図】  図１
2008135899.tif 000002
【特許請求の範囲】
【請求項１】
映像・音声信号を収録・再生するための映像・音声送出機器及び前記映像・音声送出機器を制御するための制御機器を２系統有する番組送出システムにおいて、
監視装置等の外部装置から、送出が停止している系の制御機器に対して、番組送出再開制御信号を送信し、
前記送出が停止している系の制御機器にて、前記外部装置からの番組送出再開制御信号を受信後、前記送出が停止している系の制御機器は、前記外部装置から他の系(正常に送出を開始した系)の送出開始時刻Ｔ１を取得し、
前記送出が停止している系の制御機器は、時計装置からその時の時刻データＴ２取得し、番組の出力映像・音声信号の送出再開時刻Ｔｘを、Ｔ２−Ｔ１より計算し、
前記送出が停止している系の制御機器は、対応する前記映像・音声送出機器を制御し、送出開始時刻Ｔｘから、送出が停止している系の番組の映像・音声信号の出力を開始するよう制御することを特徴とする番組送出システムの番組送出再開制御方法。
【発明の詳細な説明】
【技術分野】
【０００１】
本発明はビデオサーバなどの映像・音声収録機器を用いて番組の送出を行う場合、安定的に番組の送出を行うための番組送出システムの構築方法に関するものである。
【背景技術】
【０００２】
放送局などでは、番組の送出をビデオサーバなどの映像・音声送出機器を２重化することで、安定的に番組送出を行っている。
片方のシステムが障害等で停止した場合、もう一方のシステムに切り替えることにより、送出を停止することなく、番組の放送が可能である。
また、ビデオサーバなどの映像・音声送出機器の故障でなく、上位システムからの送出開始信号等の制御信号の障害により、片方のシステムが送出停止になった場合、番組素材などの送出時間の長い場合は、次の番組の送出が開始されるまで、片系システムにて運用されることになる。
【特許文献１】特開２００６−１０８８７４号公報
【発明の開示】
【発明が解決しようとする課題】
【０００３】
上記のように、送出開始信号等の制御信号の障害により片方のシステムが送出停止した場合、送出システムとしては、片系で運用されることになり、現在運用中の系が停止すると、両系送出停止となり、放送事故となってしまう。
本発明は、これらの問題点を除去し、ビデオサーバ等の映像・音声送出機器の故障でなく、上位システムからの送出開始信号等の制御信号の障害により、片方のシステムが送出停止になった場合、送出開始信号等の制御信号を別系統から制御機器に入力することにより、ビデオサーバなどの映像・音声送出機器から送出を開始することが可能である。そこで、監視装置などからの送出開始信号を送出停止中のシステムに入力し、現在、送出中の番組素材の送出を途中から再開することを可能とし、片系停止時間の短縮を目的とする。
【課題を解決するための手段】
【０００４】
本発明は上記目的を達成するため、映像・音声信号を収録・再生するための映像・音声送出機器及び前記映像・音声送出機器を制御するための制御機器を２系統有する番組送出システムにおいて、監視装置等の外部装置から、送出が停止している系の制御機器に対して、番組送出再開制御信号を送信し、前記送出が停止している系の制御機器にて、前記外部装置からの番組送出再開制御信号を受信後、前記送出が停止している系の制御機器は、前記外部装置から他の系(正常に送出を開始した系)の送出開始時刻Ｔ１を取得し、前記送出が停止している系の制御機器は、時計装置からその時の時刻データＴ２取得し、番組の出力映像・音声信号の送出再開時刻Ｔｘを、Ｔ２−Ｔ１より計算し、前記送出が停止している系の制御機器は、対応する前記映像・音声送出機器を制御し、送出開始時刻Ｔｘから、送出が停止している系の番組の映像・音声信号の出力を開始するよう制御する番組送出システムの番組送出再開制御方法である。
【発明の効果】
【０００５】
本発明によれば、２重化した番組送出システムにて、片系の送出が停止になった場合、監視装置等からの送出開始信号を送出停止中のシステムに入力することにより、送出停止したビデオサーバなどの映像・音声送出機器の送出を再開することができ、片系送出の停止時間の短縮を実現できる。
【発明を実施するための最良の形態】
【０００６】
最初に、本発明の一実施例ついて図１を用いて詳細に説明する。
１０１は、番組送出システムの稼動状況を監視する監視装置で、後述のＡ系、Ｂ系の制御機器１０２Ａ、１０２Ｂへは制御信号が接続されており、制御機器１０２Ａ、１０２Ｂから番組送出開始時刻等の番組送出情報を受信し、表示及び記憶している。
１０２Ａ、１０２Ｂは制御機器で、ビデオサーバなどの映像・音声送出機器１０３とはＲＳ４２２などの制御線で接続されている。
１０３Ａ、１０３Ｂは、ビデオサーバなどのＡ系、Ｂ系の映像・音声送出機器で、映像・音声信号が入力されている。
１０４は時計装置で、ＲＳ４２２などの制御線で制御機器１０２Ａ、１０２Ｂに接続されている。
【０００７】
次に、本発明の送出停止したビデオサーバなどの映像・音声送出機器の送出再開の動作について詳細に説明する。
（１）監視装置１０１から、送出が停止している系の制御機器(１０２Ａ又は１０２Ｂ)に対して、番組送出再開制御信号を送信する(ステップ２０１)。
（２）制御機器(１０２Ａ又は１０２Ｂ)にて、監視装置１０１からの番組送出再開制御信号を受信する(ステップ２０２)。
（３）監視装置１０１から番組送出再開制御信号を受信後、制御機器(１０２Ａ又は１０２Ｂ)は、監視装置１０１から、他の系(正常に送出を開始した系)の送出開始時刻Ｔ１を取得する(ステップ２０３)。
（４）また、制御機器(１０２Ａ又は１０２Ｂ)は、時計装置１０４からその時の時刻データＴ２取得し、番組の出力映像・音声信号の送出再開時刻Ｔｘを求めるため、Ｔ２−Ｔ１を計算する(ステップ２０４)。
（５）ビデオサーバなどの映像・音声送出機器１０１を制御し、送出開始時刻Ｔｘから、送出が停止している系の番組の映像・音声信号の出力を開始する(ステップ２０５)。
以上説明したように、２重化した番組送出システムにて、片系の送出が停止になった場合、監視装置等からの送出開始信号を送出停止中のシステムに入力することにより、送出停止したビデオサーバなどの映像・音声送出機器の送出を再開することができ、片系送出の停止時間の短縮を実現できる。
【図面の簡単な説明】
【０００８】
【図１】本発明の一実施例の構成を示すブロック図
【図２】本発明の一実施例の処理方法を示すフローチャート
【符号の説明】
【０００９】
１０１：監視装置、１０２：制御機器、１０３：映像・音声送出機器、１０４：時計装置。
【図１】
2008135899.tif 000003
【図２】
2008135899.tif 000004